(57)【特許請求の範囲】
【請求項１】
光変調手段に対して光束を照射すると共にプロジェクタに搭載される光源部と、
基準光源部に基づく投写画像の輝度ムラを補正する基準補正データを記憶する書き換え可能な記憶手段と、
光源部の輝度を計測する輝度計測手段と、
輝度計測手段から光源部の輝度を取得すると共に所定条件のもとその輝度情報を通信回線を介してＷｅｂサーバに転送する自己診断手段と、
Ｗｅｂサーバにて輝度情報に基づいて生成または選択した、輝度を補正する補正データを通信回線を介して当該Ｗｅｂサーバから受け取り、この補正データを前記記憶手段に記憶した基準補正データに対して重ね合わせ、記憶手段の内容を当該重ね合わせた重合補正データに書き換える補正手段と、
記憶手段に記憶した前記重合補正データによって画像信号を補正し、この補正した画像信号に基づいて光変調手段の制御を行う制御手段と、
を備えたことを特徴とするプロジェクタ。
【請求項２】
前記輝度計測手段は、光源部と光変調手段と間の光路上に設けられ、光源部から光束を分岐させる分岐手段と、分岐手段による分岐した光束の光路上に設置した輝度計とを含んで構成されていることを特徴とする請求項１に記載のプロジェクタ。
【発明の詳細な説明】
【０００１】
【発明の属する技術分野】
この発明は、光源部を交換した場合でも投写画像にムラが生じにくいプロジェクタおよびプロジェクタの光源部用可搬記憶媒体に関する。
【０００２】
【従来の技術】
今日、大画面の画像を表示する方法としては、透過型または反射型の液晶装置やデジタル・マイクロミラー・デバイス（ＤＭＤ：ＴＩ社商標）をライトバルブとして用いたプロジェクタが知られている。このようなプロジェクタは、ライトバルブによって光源部からの光束をＲ、Ｇ、Ｂの３色光毎に変調し、その変調光束を投写光学系によりスクリーンに投写して画像を表示するのが一般的であり、前記光源部には、光源ランプを放物面リフレクター内の所定位置に設置した構造のものが用いられている。光源ランプとしては、例えばメタルハライドランプ、キセノンランプ、高圧水銀ランプ、ハロゲンランプ等が用いられ、リフレクターとしては、放物線リフレクターの他に楕円面リフレクター、球面リフレクターが用いられる。
【０００３】
さて、上記プロジェクタにより表示される画像は、ムラのない均一な画像であることが好ましい。しかしながら、実際にはライトバルブの入出力特性や、光源部の製造精度等により、表示された画像にムラが発生する場合がある。従来では、このような画像のムラを抑制するために、ムラが発生している画素の画像データを補正することが行われている。このような補正方法は、例えば特開平３−１８８２２号公報等において開示されており、以下にその具体例を示す。
【０００４】
図１０は、従来の画像補正方法の一例を示す概念図である。同図（ａ）において、プロジェクタから投写面に投写された画像５０１（中間調のグレーのべた画像）には、種々の要因から全体的にムラが発生しており、例えばＡ位置、Ｂ位置およびＣ位置において輝度に差が生じている。同図（ｂ）にＸ軸方向の各位置における輝度差を示す。この場合、略中央であるＢ位置にて最大の輝度ｂが得られ、続いてＡ位置にて輝度ａ、Ｃ位置にて輝度ｃが得られている。つまり、輝度ｃ＞輝度ａ＞輝度ｃである。このような場合には、例えば、基準となる輝度が輝度ａであるとすると、Ａ位置だけでなく、Ｂ位置およびＣ位置上でも輝度ａが実現するように、ライトバルブの画素に印加される電圧を補正すればよい。具体的には、画面のＡ位置に対応する画素に印加される電圧はそのままにし、画面のＣ位置に対応する画素に印加される電圧を所定のレベルだけ低下させ、かつＣ位置に対応する画素に印加される電圧を所定のレベルだけ増加させればよい。
【０００５】
【発明が解決しようとする課題】
上記従来の画像補正方法によれば、図１２の（ａ）に示したように、スクリーンＳに画像を投写するときにプロジェクタ５０２に内蔵した光源部５０３を用いて行い、当該プロジェクタ毎に画像補正を行うようにしている。このため、寿命等の原因により光源部５０３を交換した場合、光源部５０３の製造精度が光源部毎に異なるため、投写画像に輝度ムラが発生するという問題点がある。例えば、光源部５０３のリフレクターはガラス製であり、正確な曲面を形成することが難しこと、また、リフレクターに対する光源ランプの固着精度が低いこと等から、光源部毎に製造精度が異なり、これが光源部５０３を交換したときに投写画像の輝度ムラとなって現れてしまう。
【０００６】
そこで、この発明は、上記に鑑みてなされたものであって、光源部を交換した場合でも投写画像にムラが生じにくいプロジェクタおよびプロジェクタの光源部用可搬記憶媒体を提供することを目的とする。
【０００７】
【課題を解決するための手段】
上述の目的を達成するために、本発明のプロジェクタは、光変調手段に対して光束を照射すると共にプロジェクタに搭載される光源部と、基準光源部に基づく投写画像の輝度ムラを補正する基準補正データを記憶する書き換え可能な記憶手段と、プロジェクタに搭載される光源部と基準光源部との比較において取得され、記憶手段に記憶した基準補正データに対して光源部に基づく投写画像の輝度ムラを補正する補正データを重ね合わせ、記憶手段の内容を当該重ね合わせた重合補正データに書き換える補正手段と、記憶手段に記憶した前記重合補正データによって画像信号を補正し、この補正した画像信号に基づいて光変調手段の制御を行う制御手段とを備えている。
【０００８】
即ち、この発明では、工場等で精密に製造した基準光源部を用いて画像を投写すると共にこの投写画像の輝度ムラを計測し、当該輝度ムラを抑制するための基準補正データを取得する。この基準補正データは書き換え可能な記憶手段に記憶される。また、プロジェクタに搭載する光源部は量産品であり、この光源部の輝度ムラと基準光源部の輝度ムラとを比較し、輝度ムラの差を抑制できるような光源部固有の補正データを取得する。つぎに、この光源部をプロジェクタに搭載するにあたり、補正手段により、搭載する光源部固有の補正データを記憶手段に記憶されている基準補正データに重ね合わせ、記憶手段の内容を光源部の特性を加味した重合補正データに書き換える。係る重合補正データを用いて画像信号を補正すれば、光源部を交換しても輝度ムラを抑制した良好な投写画像を得ることができる。
【０００９】
なお、プロジェクタに搭載される光源部には、プロジェクタの出荷時に搭載されている光源部、および交換するための光源部が含まれる。また、前記光変調手段には、例えば液晶パネルやＤＭＤ等が含まれる。さらに、前記補正手段は通常プロジェクタに搭載されているが、プロジェクタがパーソナルコンピューターを含めた複数の装置によりシステムとして構成される場合は、画像信号を送出するパーソナルコンピューター等の情報源側に設けられていてもよい。制御手段についても同様に情報源側に設けることができる。
【００１０】
また、本発明のプロジェクタは、光変調手段に対して光束を照射すると共にプロジェクタに搭載される光源部と、基準光源部に基づく投写画像の輝度ムラを補正する基準補正データを記憶する書き換え可能な記憶手段と、プロジェクタに搭載される光源部と基準光源部との比較において取得された補正データを記憶し、且つ前記光源部に関係付けた可搬記憶媒体と、可搬記憶媒体に記憶した補正データを読み込んでこれを基準補正データに重ね合わせ、記憶手段の内容を当該重ね合わせた重合補正データに書き換える補正手段と、記憶手段に記憶した前記重合補正データによって画像信号を補正し、この補正した画像信号に基づいて光変調手段の制御を行う制御手段とを備えている。
【００１１】
即ち、このプロジェクタでは、可搬記憶媒体に補正データを記憶し、この記憶した補正データを可搬記憶媒体から読み出し、基準補正データと重ね合わせる。可搬記憶媒体としては、フレキシブルディスクやＩＣカード、ＣＤ−ＲＯＭ等を挙げることができる。さらに、補正手段には、可搬記憶媒体の補正データの読出手段（可搬記憶媒体の専用読出手段か汎用読出手段かは問わない）が含まれる。また、光源部に対して可搬記憶媒体を関係付けるとは、光源部の付属品として販売することや光源部の購入後に別途取り寄せることなどの取引形態が有り得るがこれらは問題とせず、可搬記憶媒体に記憶している補正データが当該光源部に対応していることを少なくとも意味するものとする。このプロジェクタによれば、上記同様、光源部を交換した場合でも輝度ムラを抑制した良好な画像を得ることができ、更に可搬記憶媒体に補正データを記憶させることで、簡便な手段をもって補正データをユーザに提供できる。
【００１２】
また、本発明のプロジェクタは、光変調手段に対して光束を照射すると共にプロジェクタに搭載される光源部と、基準光源部に基づく投写画像の輝度ムラを補正する基準補正データを記憶する書き換え可能な記憶手段と、プロジェクタに搭載される光源部と基準光源部との比較において取得された補正データを記憶し且つ通信回線を介して接続された外部記憶手段から、前記補正データを取得し、この補正データを読み込んでこれを基準補正データに重ね合わせ、記憶手段の内容を当該重ね合わせた重合補正データに書き換える補正手段と、記憶手段に記憶した前記重合補正データによって画像信号を補正し、この補正した画像信号に基づいて光変調手段の制御を行う制御手段とを備えている。
【００１３】
前記補正手段は、インターネットやＬＡＮ等のネットワークを構成する通信回線を介して補正データを取得する。この補正データは、メーカーのＷｅｂサーバ等の外部記憶手段に記憶されている。補正データを取得するためには、例えばプロジェクタに搭載している光源部の識別番号等の情報をＷｅｂサーバに転送して、補正データの転送要求を行えばよい。また、プロジェクタがＷＷＷブラウザ機能を有するパーソナルコンピューターを含んで複数の装置から構成されている場合、前記補正手段をＰＣ側に設けることもできる。このように、通信回線を介して補正データを取得するようにすれば、可搬記憶媒体を省略して、広く普及しているインターネット等を利用して容易に補正データを取得することができる。
【００１４】
また、本発明のプロジェクタは、光変調手段に対して光束を照射すると共にプロジェクタに搭載される光源部と、基準光源部に基づく投写画像の輝度ムラを補正する基準補正データを記憶する書き換え可能な記憶手段と、光源部の輝度を計測する輝度計測手段と、輝度計測手段から光源部の輝度を取得すると共に所定条件のもとその輝度情報を通信回線を介してＷｅｂサーバに転送する自己診断手段と、Ｗｅｂサーバにて輝度情報に基づいて生成または選択した、輝度を補正する輝度補正データを通信回線を介して当該Ｗｅｂサーバから受け取り、この輝度補正データを前記記憶手段に記憶した補正データに対して重ね合わせ、記憶手段の内容を当該重ね合わせた重合補正データに書き換える補正手段と、記憶手段に記憶した前記重合補正データによって画像信号を補正し、この補正した画像信号に基づいて光変調手段の制御を行う制御手段とを備えている。
【００１５】
このプロジェクタは、光源部の輝度が使用するにつれて低下することに鑑み、この輝度低下を補正するようにしたものである。このプロジェクタでは、自己診断手段が、輝度計測手段から光源部の輝度を取得して、所定条件のもと輝度情報をＷｅｂサーバに転送する。ここで、所定条件としては、例えば光源部の輝度がしきい値を下回ったこと、光源部の使用時間が２５０時間、５００時間、７５０時間に達したこと等を挙げることができる。一方、Ｗｅｂサーバでは、この輝度情報に基づき光源部の輝度補正データを生成するか、或いはデータベース等に格納されている輝度補正データを選択する。補正手段は、この輝度補正データをＷｅｂサーバから通信回線を介して受け取り、記憶手段に記憶した補正データに対して重ね合わせる。これにより、光源部を交換する場合のみならず、光源部が寿命に至までの間であっても輝度低下を補正しながら良好な画像を得ることができる。
【００１６】
また、本発明のプロジェクタは、上記プロジェクタにおいて、前記輝度計測手段は、光源部と光変調手段と間の光路上に設けられ、光源部から光束を分岐させる分岐手段と、分岐手段による分岐した光束の光路上に設置した輝度計とを含んで構成されている。このように、光源部と光変調手段との間の光路上に分岐手段を設けることで光変調手段の影響を受けずに、光源部の輝度を計測できる。
【００１７】
また、本発明のプロジェクタは、光変調手段に対して光束を照射すると共にプロジェクタに搭載される光源部と、基準スクリーンに基づく投写画像の輝度ムラを補正する基準補正データを記憶する書き換え可能な記憶手段と、使用するスクリーンと基準スクリーンとの比較において取得され、記憶手段に記憶した基準補正データに対してスクリーンに基づく投写画像の輝度ムラを補正するスクリーン補正データを重ね合わせ、記憶手段の内容を当該重ね合わせた重合補正データに書き換える補正手段と、記憶手段に記憶した前記重合補正データによって画像信号を補正し、この補正した画像信号に基づいて光変調手段の制御を行う制御手段とを備えている。
【００１８】
投写画像の輝度ムラは光源部のみならず、使用するスクリーンに起因しても発生する。このためスクリーン補正データによって基準補正データを補正し、当該補正データに基づいて画像信号を補正することで輝度ムラを抑制した良好な画像を得ることができる。なお、前記基準補正データは、基準スクリーンを用いて輝度計測をして取得するものであるが、計測時の光源部として前記基準光源部を用いることで、当該基準補正データは、基準スクリーンおよび基準補正部に基づいた内容となる。また、前記スクリーン補正データには、スクリーン毎に補正データを有する場合、スクリーンの種類毎に補正データを有する場合が含まれる。なお、上記光源部に基づく補正データを前記スクリーンの補正データと共に基準補正データに重ね合わせることも可能である。
【００１９】
また、本発明のプロジェクタは、光変調手段に対して光束を照射すると共にプロジェクタに搭載される光源部と、基準スクリーンに基づく投写画像の輝度ムラを補正する基準補正データを記憶する書き換え可能な記憶手段と、使用するスクリーンを識別するスクリーン識別手段と、使用するスクリーンと基準スクリーンとの比較において取得されたスクリーン毎の補正データからスクリーン識別手段により識別したスクリーン補正データを読み込んでこれを基準補正データに重ね合わせ、記憶手段の内容を当該重ね合わせた重合補正データに書き換える補正手段と、記憶手段に記憶した前記重合補正データによって画像信号を補正し、この補正した画像信号に基づいて光変調手段の制御を行う制御手段とを備えている。
【００２０】
スクリーン識別手段は、使用するスクリーンを識別する。この識別内容からスクリーンを特定し、この識別情報に基づいてスクリーン毎の補正データから使用するスクリーン補正データを判別して読み込む。そして、当該スクリーン補正データによって基準補正データを補正し、当該重合補正データに基づいて画像信号を補正する。これにより輝度ムラを抑制した良好な投写画像を得ることができる。ここで、スクリーン識別手段としては、例えばスクリーンに表示したバーコード情報を読み取ること等の公知の画像処理技術を利用してスクリーンを認識することができる。また、スクリーン毎の補正データは、プロジェクタの記憶装置に蓄積するようにしてもよいし、Ｗｅｂサーバのデータベースに蓄積しておき、その都度、通信回線を介して取得するようにしてもよい。
【００２１】
また、本発明のプロジェクタの光源部用可搬記憶媒体は、光変調手段に対して光束を照射すると共にプロジェクタに搭載されるプロジェクタの光源部に関連付けられており、基準光源部に基づく投写画像の輝度ムラを補正する基準補正データに対して重ね合わせるため、光源部に基づく投写画像の輝度ムラを補正する補正データを、プロジェクタに搭載される光源部と基準光源部との比較において取得し、これを記憶している。
【００２２】
光源部を交換する場合、この光源部に設けた可搬記憶媒体から補正データを読み出し、プロジェクタ側において有する基準光源部に基づいた基準補正データに重ね合わせる。そして、この補正データによって画像信号を補正して光変調手段の制御を行うことで輝度ムラを抑制した良好な投写画像を得ることができる。なお、プロジェクタの光源部に関連するとは、上記同様、可搬記憶媒体に記憶している補正データが当該光源部に対応していることを少なくとも意味するものとする。
【００２３】
また、本発明のプロジェクタの光源部用可搬記憶媒体は、光変調手段に対して光束を照射すると共にプロジェクタに搭載されるプロジェクタの光源部に関連付けられており、基準スクリーンに基づく投写画像の輝度ムラを補正する基準補正データに対して重ね合わせるため、基準スクリーンに基づく投写画像の輝度ムラを補正する補正データを、使用するスクリーンと基準スクリーンとの比較において取得し、これを記憶している。
【００２４】
複数のスクリーンを使用する場合、この光源部に設けた可搬記憶媒体から補正データを読み出し、プロジェクタ側において有する基準スクリーンに基づいた基準補正データに重ね合わせる。そして、この補正データによって画像信号を補正して光変調手段の制御を行うことで、複数のスクリーンを用いる場合でも各スクリーンにおいて輝度ムラを抑制した良好な投写画像を得ることができる。なお、プロジェクタの光源部に関連するとは、上記同様、可搬記憶媒体に記憶している補正データが当該光源部に対応していることを少なくとも意味するものとする。
【００２５】
また、本発明のプロジェクタは、光変調手段に対して光束を照射すると共にプロジェクタに搭載される光源部と、基準光源部に基づく投写画像の輝度ムラを補正する基準補正データを記憶する書き換え可能な記憶手段と、任意の特性を持つ画像が得られるような複数種類の画像補正データを記憶し且つ通信回線を介して接続された外部記憶手段から、前記画像補正データを選択的に取得し、この画像補正データを読み込んでこれを少なくとも前記基準補正データに重ね合わせ、記憶手段の内容を当該重ね合わせた重合補正データに書き換える補正手段と、記憶手段に記憶した前記重合補正データによって画像信号を補正し、この補正した画像信号に基づいて光変調手段の制御を行う制御手段とを備えている。
【００２６】
上記構成によれば、任意の特性を持つ画像が得られるような複数種類の画像補正データを外部記憶手段が記憶しており、この画像補正データを選択的に取得して基準補正データに重ね合わせる。ここで書き換え可能な記憶手段には、少なくとも基準補正データが記憶されていればよく、更に光源部に基づく補正データを基準補正データに重ね合わせて書き換えた重合補正データが記憶されていてもよい。このように、選択的に特定の画像補正データを取得して、記憶手段の内容を書き換えるようにすることで、好みの特性を持つ投写画像を得ることができる。例えば、外国映画のような画像特性を得たい場合は、該当する画像補正データを選択して、記憶手段の内容を書き換えるようにすればよい。
【００２７】
【発明の実施の形態】
以下、この発明につき図面を参照しつつ詳細に説明する。なお、この実施の形態によりこの発明が限定されるものではない。また、下記実施の形態における構成要素には、当業者が容易に想定できるもの或いは実質的に同一のものが含まれる。また、下記実施の形態における構成要素には、当業者が容易に想定できるものが含まれるものとする。
【００２８】
（実施の形態１）
図１は、この発明の実施の形態１にかかる液晶プロジェクタを示す概略構成図である。この液晶プロジェクタ１００は、光源ランプ１ａと放物線リフレクター１ｂとからなる光源部１と、Ｒ、Ｇ、Ｂの液晶パネルによって構成したライトバルブ２と、ライトバルブ２を駆動するドライバ回路３と、ライトバルブ２に対して所定の制御を行うコントローラー４と、電源装置５とを備えている。
【００２９】
また、前記光源部１には、専用のメモリであるＩＣカード６が付属してあり、このＩＣカード６には、光源部１毎に対応した個別の補正データが格納してある。この個別の補正データは、オリジナル光源部１ｓ（出荷時に取り付けた光源部１）の製造精度によって生じる輝度ムラの特性を補正するためのものである。なお、この専用のメモリには、前記ＩＣカード６の他、フレキシブルディスク、光磁気ディスク等の可搬記憶媒体を用いることができる。一方、コントローラー４には、ＩＣカードＲ／Ｗ７（reader/writer）が接続されている。このＩＣカードＲ／Ｗ７は、光源部１に付属したＩＣカード６の記憶内容を読み込むと共に必要に応じて液晶プロジェクタ側に設けたメモリ（図示省略）から各種の情報をＩＣカード６に記録する。
【００３０】
前記コントローラー４には、補正部８と、書き換え可能な記憶手段によって構成したＬＵＴメモリ９とが設けられており、当該ＬＵＴメモリ９には投写画像の基準補正データが格納されている。この基準補正データは、基準光源部１ｒが有する空間的な輝度ムラを打ち消すようなデータである。具体的には、プロジェクタが基準光源部１ｒを有する場合に、ある画像ソース（例えばパーソナルコンピュータ）からプロジェクタへ均一なグレー画像（べたのグレー画像）を表すデータが与えられた際に、基準光源部１ｒの輝度ムラがスクリーン上に現れない（意図した均一なグレー画像が得られる）ようにする補正データである。この基準補正データは、後述する基準光源部１ｒを用いて取得したもので、全ての液晶プロジェクタ１００で共通の内容となる。
【００３１】
図２は、工場における光源部の補正データ取得方法を示す説明図である。上記したように光源部１の製造精度にはある程度のばらつきが生じているため、それぞれの光源部１の射出光が有する空間的な輝度ムラは、光源部１によって異なる。工場では、非常に高精度に作り込んだ光源部（基準光源部１ｒ）を用い、この基準光源部１ｒによる投射光Ｇｒと、出荷用の光源部１ｓによる投射光Ｇｓとを、ＣＣＤなどの撮像装置で取り込み、比較し差分することで、輝度ムラを補正するための補正データを取得する。なお、出荷用の光源部１は、液晶プロジェクタ１００の出荷時に取り付けるオリジナル光源部１ｓであっても、交換するための交換用光源部１ｋであっても、同様に基準光源部１ｒとの比較によって補正データを取得する。この補正データは、工場にて各光源部１に付属するＩＣカード６に記憶される。
【００３２】
ここで、ＩＣカード６等の可搬記憶媒体に格納した補正データは、少なくとも当該光源部１と関連付けられてユーザに提供される必要がある。補正データを光源部１に関連付けるとは、少なくとも当該補正データが光源部１に対応していることを含み、その提供形態には、例えば上記のようにＩＣカード６を光源部１の付属品として同時に供給すること、ＩＣカード６と光源部１とを時間的に別に供給すること、ＩＣカード６に記憶している補正データがこれ以外の情報（例えば光源部の寿命情報等）と一緒になって供給されることが含まれる。また、可搬記憶媒体以外を介して提供されるようにしてもよく、例えばメーカーのＷｅｂサイトにユーザがアクセスすることで通信回線を介して当該補正データをダウンロードするようにする場合も含まれる。
【００３３】
当初、コントローラー４のＬＵＴメモリ９に記憶されているのは、前記基準光源部１ｒに基づいて作成した基準補正データである。このため、オリジナル光源部１ｓを液晶プロジェクタ１００に搭載した場合、当然に基準光源部１ｒとオリジナル光源部１ｓとの特性の違いにより、投写画像に新たな輝度ムラが発生する。従って、オリジナル光源部１ｓを液晶プロジェクタ１００に搭載したとき、当該光源部１に付属したＩＣカード６からオリジナル光源部１ｓの補正データを読み込み、補正部８によって当初記憶してある基準補正データと当該読み込んだ補正データとを重ね合わせて重合補正データとし、ＬＵＴメモリ９の内容を当該重合補正データに書き換える。ここで、基準補正データと補正データとを重ね合わせるとは、結果的に画像データを基準補正データと補正データとの両方を用いて補正したことになれば、その重ね合わせ方は問題ではない。好ましくは、基準補正データと補正データを加算した状態でＬＵＴメモリ９に記憶させるようにするのがよい。
【００３４】
なお、当初からＬＵＴメモリ９に記憶されていた基準補正データは、書き換える前に一旦別のメモリ（図示省略）に記憶させておき、後に光源部１を交換したとき、前記メモリから基準補正データを読み出してＬＵＴメモリ９の内容を初期値に戻すことができる。なお、光源部１の補正データを重ね合わせることは、ユーザの選択に任せるようにしてもよい。すなわち、ユーザの画像の好みは多様であって、基準補正データのままで画像を表示させたい場合もあり、そのときには光源部１に付属した補正データを読み込む必要がないからである。一方、ユーザが常に最適な投写画像を得たい場合には、光源部１に付属した補正データを読み込んで基準補正データと重ね合わせ、重合補正データを得るようにすればよい。このように、ＬＵＴメモリ９に書換え可能なＬＵＴメモリ９を用いることで、光源部１を交換したときであっても、その交換した光源部１の補正データを重ね合わせることで、最適な画像を得ることができる。
【００３５】
さらに、別の形態として、基準光源部１ｒの基準補正データをＲＯＭ等の書換え不可能な記憶手段（図示省略）に記憶させておき、コントローラー４により当該基準補正データを読み出すと共に、オリジナル光源部１ｓの補正データをＩＣカード６から読み取り、この両者を重ね合わせて書換え可能なＬＵＴメモリ９に記憶させるようにしてもよい。さらに、別の形態として、基準光源部１ｒに基づく基準補正データを記憶した第１のＬＵＴメモリと、オリジナルまたは交換用の光源部１に基づく上記補正データを記憶する書き換え可能な第２のＬＵＴメモリとを設け（いずれも図示省略）、信号データ電圧に対するルックアップ操作を第１および第２のＬＵＴメモリに基づいて２段階で行うこともできる。
【００３６】
この液晶プロジェクタ１００により画像補正を行うにあたっては、まず、パーソナル・コンピューター（ＰＣ）１０等の情報源からコントローラー４に画像信号が入力され、この画像信号を図示しないＡ／Ｄ変換器によってデジタル信号に変換する。そして、この画像信号データをＬＵＴメモリ９に格納した対応する画像信号データに変換して出力する。これにより、基準光源部１ｒおよびオリジナル光源部１ｓを基準とした画像補正が完了する。補正した画像信号データは図示しないＤ／Ａ変換器によって処理されてコントローラー４からドライバ回路３に送られる。ドライバ回路３は、補正された画像信号によってライトバルブ２を駆動する。なお、ＬＵＴメモリ９を２段階に設置した場合は、画像信号データを、第１のルックアップ操作において基準光源部１ｒに基づいた補正を行い、続いてこの補正データを、第２のルックアップ操作によってオリジナル光源部１ｓに基づいて補正すればよい。
【００３７】
つぎに、オリジナル光源部１ｓが寿命になったり、故障したことによって交換が必要になったときは、ユーザによりオリジナル光源部１ｓを交換用光源部１ｋに交換する。この交換用光源部１ｋにも上記同様にＩＣカード６が付属している。まず、コントローラー４は、ＬＵＴメモリ９に記憶した重合補正データを消去すると共に、前記メモリから初期値である基準補正データを読み込んで、この内容を一旦ＬＵＴメモリ９に展開する。続いて、ＩＣカードＲ／Ｗ７によって付属のＩＣカード６から交換用光源部１ｋを基準とした補正データを読み込み、前記ＬＵＴメモリ９の基準補正データの内容に重ね合わせる。これにより、ＬＵＴメモリ９の補正データが、基準光源部１ｒおよび交換用光源部１ｋを基準とした重合補正データに書き換えられる。また、この交換用光源部１ｋが寿命または故障となり交換の必要が生じた場合も、上記同様の手順にてＬＵＴメモリ９の重合補正データの内容を書き換える。
【００３８】
以上の結果、光源部１を新たに交換した場合であっても、交換用光源部１ｋの特性を踏まえた重合補正データに基づき画像信号を補正することになるから、光源部１の製造精度に起因した投写画像Ｇの輝度ムラが効果的に抑制される。また、交換用光源部１ｋを更に新しい交換用光源部１ｋに交換した場合でも、上記同様に交換した交換用光源部１ｋの特性を踏まえた重合補正データに書き換えることで、最適な投写画像Ｇを得ることができる。
【００３９】
（実施の形態２）
図３は、この発明の実施の形態２にかかる液晶プロジェクタを示す構成図である。この液晶プロジェクタ２００は、使用するスクリーンの特性に起因した投写画像のムラを補正するようにした点に特徴がある。その他の構成は上記実施の形態１の液晶プロジェクタ１００と同様であるから主にその相違点について説明する。同図に示すように、液晶プロジェクタ２００は、光源ランプ１ａと放物線リフレクター１ｂとからなる光源部１と、Ｒ、Ｇ、Ｂの液晶パネルによって構成したライトバルブ２と、ライトバルブ２を駆動するドライバ回路３と、ライトバルブ２に対して所定の制御を行うコントローラー２０１と、電源装置５とを備えている。前記コントローラー２０１は、補正部２０２と、書き換え可能な記憶手段によって構成したＬＵＴメモリ２０３とを備え、さらにスクリーン補正部２０４、画像処理部２０５、スクリーンデータ用メモリ２０６と、スクリーン毎の補正データを読み取るデータ読取部２０７とを備えている。
【００４０】
また、コントローラー２０１には、スクリーンＳに形成したバーコード２０８を読み取るためのカメラ２０９が接続されている。カメラ２０９は、液晶プロジェクタ２００の筐体に一体化して設置されており、スクリーンＳに向かって配置されている。また、前記カメラ２０９は、液晶プロジェクタ２００と別体になっており、別の液晶プロジェクタとの間で互換性を持たせたものであってもよい。スクリーン毎のスクリーン補正データは、スクリーンＳに付属している、フレキシブルディスク、ＩＣカード等の可搬記憶媒体２１０に記憶されている。前記バーコード２０８には、特定のスクリーンＳ或いはスクリーンＳの種類を認識するための情報がコード化されている。
【００４１】
投写型の液晶プロジェクタ２００の場合は、１台で複数のスクリーンＳを使用することが多い。また、投写画像Ｇの輝度ムラは上記実施の形態１のようにして補正されているが、スクリーン毎でも輝度分布の特性が異なっているため、異なるスクリーンＳを用いた場合に当該特性のばらつきに起因して投写画像Ｇに輝度ムラが発生してしまう。例えば、スクリーン毎にホットスポットの位置が異なるため、一部の輝度が高くなって表示されることがある。そこで、スクリーン間での投写画像Ｇの輝度ムラを補正するため、スクリーン毎にスクリーン補正データを可搬記憶媒体２１０に記憶しておき、このスクリーン補正データをデータ読取部２０７により読み取ってスクリーンデータ用メモリ２０６に記憶する。
【００４２】
スクリーン補正データは、図示しない基準スクリーンに投写した投写画像と、出荷するスクリーンＳに投写した投写画像とを比較し差分することで取得する。なお、前記基準補正データは、前記基準スクリーンを用いて取得したものであるから、ＬＵＴメモリ２０３に記憶されている内容は、基準スクリーンおよび基準光源部１ｒに基づいた基準補正データとなる。ユーザは、スクリーンＳに付属されている可搬記憶媒体２１０に記憶したスクリーン補正データをデータ読取部２０７により読み出し、自己の液晶プロジェクタ２００のスクリーンデータ用メモリ２０６に記憶する。スクリーン毎にスクリーン補正データを取得することにより、投写画像Ｇの輝度ムラを更に抑制できるようになる。なお、各スクリーンＳに対応するスクリーン補正データを取得するようにしなくても、スクリーン補正データをスクリーンＳの種類別に共通化するようにしてもよい。このようにすれば、スクリーンＳのラインナップ分だけ前記スクリーン補正データを取得用意すれば済むので簡単である。
【００４３】
つぎに、この液晶プロジェクタ２００の動作を説明する。まず、液晶プロジェクタ２００をスクリーンＳに向けて電源を入れると、カメラ２０９によってスクリーンＳａに設けたバーコード２０８が読み取られる。そして、カメラ２０９に内蔵したＣＣＤ（charge coupled device）によって画像が電気信号に変換され、Ａ／Ｄ変換された後、画像処理部２０５にてバーコード２０８の内容を読み取る。スクリーンデータ用メモリ２０６には、上記したようにユーザが使用し得る複数のスクリーンＳのスクリーン補正データが認識コードと共に記憶されており、スクリーン補正部２０４はバーコード２０８内容と一致する認識コードを持つスクリーンＳａのスクリーン補正データをスクリーンデータ用メモリ２０６から読み出す。
【００４４】
一方、ＬＵＴメモリ２０３には、基準光源部１ｒに基づく基準補正データと、オリジナル光源部１ｓに基づく補正データとを重ね合わせた重合補正データが記憶されている。コントローラー２０１は、当該重合補正データと前記スクリーン補正データとを再び重ね合わせ、使用するスクリーンＳａの特性を加味した二重合補正データを生成し、これをＬＵＴメモリ２０３に上書きする。
【００４５】
つぎに、スクリーンＳａとは別のスクリーンＳｂを使用する場合も、上記同様、スクリーンＳｂに設けたバーコード２０８からスクリーンＳｂのスクリーン補正データを読み出し、このスクリーン補正データをオリジナル光源部１ｓに基づく重合補正データとを重ね合わせる。これにより、異なるスクリーンＳｂを用いる場合でもその特性を加味した画像信号の補正を行うことができる。このようにスクリーンＳを使用するときにそのバーコード２０８を自動的に読み取って当該スクリーンＳを自動認識させることで、ユーザが液晶プロジェクタ２００を設置して画像を投写する度に生じるであろう補正作業を極めて簡略化できる。なお、液晶プロジェクタ２００の電源を入れた後、ユーザが図示しないスイッチを押すことで上記スクリーン補正を実行するようにしてもよい。
【００４６】
コントローラー２０１は、ＰＣ１０等の情報源からコントローラー２０１に画像信号が入力されると、その画像信号をＡ／Ｄ変換器（図示省略）によってデジタル信号に変換し、この画像信号データをＬＵＴメモリ２０３に格納した対応する画像信号データに変換して出力する。これにより、基準光源部１ｒ、オリジナル光源部１ｓおよび使用するスクリーンＳを基準とした画像補正が完了する。補正した画像信号データはＤ／Ａ変換されて、コントローラー２０１からドライバ回路３に送られる。ドライバ回路３は、画像信号に基づいてライトバルブ２を駆動する。
【００４７】
なお、この実施の形態２では、カメラ２０９によりバーコード２０８を読み取ってスクリーンＳを認識するようにしているが、これ以外の手段、例えばユーザがテンキー等の入力部からスクリーンＳの認識番号を入力してもよいし、通常のバーコードリーダーによりバーコード２０８を読み取るようにしてもよい。また、スクリーンデータ用メモリ２０６に記憶したスクリーン補正データに係るスクリーンＳを番号等の記号で液晶プロジェクタ２００の操作パネルの表示部に表示し、これをユーザが選択することでスクリーンＳを認識させるようにしてもよい。さらに、スクリーンＳにかかるスクリーン補正データの取得は記憶媒体ではなく、例えばメーカーのＷｅｂサイトにユーザがアクセスし、通信回線を介してダウンロードするようにしてもよい。
【００４８】
（実施の形態３）
図４は、この発明の実施の形態３に係る液晶プロジェクタ・システムを示す構成図である。液晶プロジェクタ・システム３００は、光源ランプ１ａと放物線リフレクター１ｂとからなる光源部１と、Ｒ、Ｇ、Ｂの液晶パネルによって構成したライトバルブ２と、ライトバルブ２を駆動するドライバ回路３と、ライトバルブ２に対して所定の制御を行うコントローラー３０１と、ＩＣカードＲ／Ｗ３０２と、電源装置５とから構成した液晶プロジェクタ３５０と、ブラウザ機能を備えたＰＣ３６０とから構成されている。
【００４９】
コントローラー３０１は、補正部３０３と、書き換え可能な記憶手段によって構成したＬＵＴメモリ３０４と、ライトバルブデータ用メモリ３０５と、自己診断部３０６とを備える。また、光源部１とライトバルブ２との間には、投写光を分岐させるミラーやプリズム等の反射手段３０７が設置されている。この分岐光は、コントローラー３０１に接続した輝度計３０８によって計測される。このように、ライトバルブ２を通過した変調光ではなく、光源部１からの投写光を分岐させるようにすれば、光源部１の輝度を正確に測定できる。なお、反射手段３０７は、光源部１からレンズアレイ、重畳レンズまでの照明光学系、ＲＧＢの３色に分離する色光分離光学系の間に設置でき、特に、ライトバルブ２の有効領域以外に照射される照射光の光軸上に設置するようにすれば、無駄な光束を有効利用できるといった観点から好ましい。
【００５０】
自己診断部３０６は、光源部１の寿命を判断するための所定の閾値を有しており、輝度計３０８からの計測信号が当該閾値以下となったときに、コントローラー３０１に光源部１の交換を知らせる信号を送出する。ライトバルブデータ用メモリ３０５には、液晶プロジェクタ３５０に使用しているライトバルブ２の識別データが記憶されている。また、光源部１には、実施の形態１および２のようなＩＣカード６に代えて、識別番号３０９が記載されている。この識別番号３０９は、光源部１毎に異なる番号が付けられており、例えばシール等に印刷されて光源部１の放物線リフレクター１ｂ裏面に張り付けられている。
【００５１】
一方、メーカーのＷｅｂサーバ３７０には、光源部１の補正データを蓄積した光源部データベース３７１と、光源部１に表示した識別番号３０９によって検索し該当する補正データを読み出す光源部検索部３７２と、ライトバルブ２に関する情報を蓄積したライトバルブデータベース３７３と、ライトバルブ２の識別コードによって検索し該当するライトバルブ情報を読み出すライトバルブ検索部３７４と、読み出した補正データおよびライトバルブ情報からＬＶ補正データを生成するＬＶ補正データ生成部３７５とを備えている。なお、前記ライトバルブ情報には、例えばライトバルブ２の型式や年式、経年劣化度合い、製造場所等が含まれる。
【００５２】
前記ＬＵＴメモリ３０４には画像の基準補正データが格納されている。この基準補正データは、上記従来と同様、投写画像から輝度ムラの特性曲線を取得し、この逆変換曲線を算出することで作成する。また、この基準補正データは、非常に高精度に作り込んだ基準光源部１ｒを用いて取得したもので、全ての液晶プロジェクタで共通の内容となる。一方、光源部データベース３７１に蓄積している補正データは、基準光源部１ｒの投写画像と出荷用のオリジナル光源部１ｓおよび交換用光源部１ｋの投写画像とを比較し差分することで取得する。この補正データには識別番号３０９が付与され、この番号は光源部１に表示される。
【００５３】
つぎに、この液晶プロジェクタ・システムの動作を説明する。図５は、補正データ生成までの手順を示すフローチャートである。ユーザは、オリジナル光源部１ｓの寿命によって交換した交換用光源部１ｋの補正データを取得するにあたり、まず、ＰＣ３６０を起動してインターネット３８０経由でメーカーのＷｅｂサーバ３７０に接続すると（ステップＳ５０１）、サーバはＷｅｂページをＰＣ３６０に転送する（ステップＳ５０２）。次に、ＰＣ３６０では、補正データダウンロードのＷｅｂページ６０（図６参照）に設けられている識別番号入力欄６１にユーザが識別番号を入力する（ステップＳ５０３）。続いて、ライトバルブ識別コード入力ボタン６２の選択により（ステップＳ５０４）、取得命令が液晶プロジェクタ３５０に送信され、コントローラー３０１がライトバルブデータ用メモリ３０５からライトバルブ２の識別コードを取得し（ステップＳ５０５）、ＰＣ３６０に転送する（ステップＳ５０６）。なお、このライトバルブ情報を考慮して補正データを生成するか否かは、ユーザの自由である。
【００５４】
続いて、ユーザが画面上の補正データ生成ボタン６３を選択することで、光源部１の識別番号３０９およびライトバルブ２の識別コードが、補正データ生成要求と共にＷｅｂサーバ３７０に転送される（ステップＳ５０７）。つぎに、Ｗｅｂサーバ３７０では、光源部１の識別番号３０９およびライトバルブの識別コードを受け取ると、光源部の識別番号３０９に基づいて光源部データベース３７１を検索し、該当する補正データを読み出す（ステップＳ５０８）。同様に、ライトバルブ２の識別コードに基づいてライトバルブデータベース３７３を検索し、該当するライトバルブ情報を読み出す（ステップＳ５０９）。なお、このライトバルブ情報は、補正データ生成にあたり必須ではなく、上述のようにライトバルブ情報による補正を非選択にできるし、ライトバルブ情報が検索不能であったとき等には、当該ライトバルブ情報に基づく補正をしないようにすることもできる。
【００５５】
そして、光源部１の補正データおよびライトバルブ情報から補正データ生成部３７５によってＬＶ補正データを生成する（ステップＳ５１０）。この補正データはライトバルブ情報を加味して生成したものであり、例えば、ライトバルブ２の年式が古いためその輝度に一定の低下が見られる場合、画像信号データの電圧を当該輝度の低下分だけ低くする。続いて、生成したＬＶ補正データをＰＣ３６０に転送する（ステップＳ５１１）。ＰＣ３６０は、このＬＶ補正データを液晶プロジェクタ３５０に転送し（ステップＳ５１２）、その結果、液晶プロジェクタ３５０の補正部３０３にＬＶ補正データが送られ、当該ＬＶ補正データを基準補正データに重ね合わせて、ＬＵＴメモリ３０４の内容を書き換える（ステップＳ５１３）。
【００５６】
なお、上記説明では理解の便宜のためオリジナル光源部１ｓを交換用光源部１ｋに交換する場合について示したが、交換用光源部１ｋが寿命となり、これを新たな交換用光源部１ｋに交換する場合も上記同様の手順で重合補正データの書き換えを行う。また、上記実施の形態と同様、当初、ＬＵＴメモリ３０４に記憶されていた基準補正データを、書き換える前に一旦別のメモリ（図示省略）に記憶させ、光源部１を交換したときに当該メモリから読み出してＬＵＴメモリ３０４の内容を初期値に戻すようにするのが好ましい。
【００５７】
また、この液晶プロジェクタ・システム３００では、使用時間の経過により光源部１の輝度が低下してきた場合、この輝度を自己診断機能により計測することで最適な投写画像を得ることができる。図７は、自己診断部による輝度自動調整の手順を示すフローチャートである。まず、液晶プロジェクタ３５０が画像を投写しているときに、反射手段３０７により光源部１からの投写光を分岐させ、この分岐光を輝度計３０８で計測する（ステップＳ７０１）。続いて、輝度計３０８の計測信号をコントローラー３０１に送出し、自己診断部３０６によって計測信号を所定の閾値と比較する。光源部１の寿命により輝度が低下し、計測信号が閾値を下回ると、寿命と判断される閾値を下回らない限り、光源部１の輝度計測を継続する（ステップＳ７０２、ステップＳ７０３）。
【００５８】
一方、光源部１の輝度が所定の閾値を下回った場合、光源部１の寿命と判断して液晶プロジェクタ３５０の表示部に光源部交換の指示を出す（ステップＳ７０４）。つぎに、光源部１が寿命に達していない場合、コントローラー３０１が自己診断部から光源部１の輝度データを取得すると共に（ステップＳ７０５）、ライトバルブデータ用メモリ３０５からライトバルブ２の識別コードを取得する（ステップＳ７０６）。なお、このライトバルブ２の識別データは、ユーザによって考慮しないようにできる。そして、輝度データおよび識別コードが取得できたら、ＰＣ３６０によってＷｅｂサーバ３７０に接続し（ステップＳ７０７）、輝度データおよび識別コードをＷｅｂサーバ３７０の補正データ生成部３７５に転送する（ステップＳ７０８）。
【００５９】
ＬＶ補正データ生成部３７５では、ライトバルブデータベース３７３を識別コードに基づいて検索し、検索したライトバルブ情報と輝度データとから輝度補正データを生成する（ステップＳ７０９）。すなわち、光源部１の輝度の低下に対してはその低下分を補うように画像信号データを補正することで、輝度低下に起因した輝度ムラの発生を防止する。ＬＶ補正データ生成部３７５により補正データの生成がなされたら、この補正データをＰＣ３６０によりダウンロードし、更にコントローラー３０１に転送することで当該輝度補正データと当初記憶してあるオリジナル光源１ｓの補正データ（または交換用光源１ｋの補正データ）とを重ね合わせ、ＬＵＴメモリ３０４に上書きする（ステップＳ７１０）。これにより、光源部１の輝度が低下した場合でもその輝度低下分の補正を行うことができるので、投写画像の輝度を一定に保ことができる。特に、当該輝度補正と光源部交換時の補正とを組み合わせて用いることで、輝度ムラが少なく一定の輝度を保った投写画像を得ることができる。
【００６０】
また、上記説明では、光源部１を交換した場合、インターネット３８０を介してＷｅｂサーバ３７０から補正データを取得するようにしているが、光源部１の識別番号３０９をＩＣカードＲ／Ｗ３０２を介してＩＣカード３１０に入力するか或いは所定の用紙３１１に記入してメーカーに送付するようにしてもよい。また、ＩＣカード３１０には、ライトバルブデータ用メモリ３０５に記憶してあるライトバルブ２の識別コードを記憶することができる。メーカー側では、このＩＣカード３１０に記憶されている光源部１の識別番号３０９やライトバルブ２の識別コードを参照して、上記ＬＶ補正データ生成部３７５によりＬＶ補正データを生成し、このＬＶ補正データをＩＣカード３１０に再び記憶してユーザに送り返す。ユーザは、このＩＣカード３１０に記憶されているＬＶ補正データを、上記同様の手順を経てＬＵＴメモリ３０４に記憶されている基準補正データと重ね合わせる。
【００６１】
さらに、この液晶プロジェクタ・システム３００では、ユーザがインストーラーを選択して好みの画像とすることができる。メーカーのＷｅｂサーバ３７０には、インストーラーデータベース３７６と、インストーラー選択部３７７が設けられている。インストーラーとは、一般的には液晶プロジェクタやスクリーン等の設置調整や視聴環境の仕上げ等の作業を行うホームシアター専門業者を意味するが、この実施の形態におけるインストーラーは、ユーザが好みの画像を生成するための画像補正データを意味するものとする。
【００６２】
図８は、インストーラー選択画面の内容を表示する説明図である。インストーラーは、特定の名称を付加してインストーラーデータベース３７６内に蓄積されている。例えば画像補正データに、インストーラー名称として「ハリウッド・アクション」、「南野たけし」等を付加して蓄積しており、このインストーラー名称はＰＣ３６０の画面にリストとして表示される。画像補正データは、「ハリウッド・アクション」の場合には、アメリカ西海岸風の色合いに画像を修正できるような内容のものである。インストーラー選択画面８０には、インストーラーの内容を表示した図形８１と、そのインストーラーの簡単な説明８２が表示される。例えば「ハリウッド・アクション」の場合は、爆発している炎の前面でアクションスターがジャンプしている図形と、「アメリカ西海岸の青空がきれいに表示されると共に、動きの早い画像を見やすく表示します。」等の簡単な説明が表示される。
【００６３】
ユーザが特定の図形８１を選択することで、図９に示すような所定のインストーラー画面９０に移行する。このインストーラー画面９０では、選択したインストーラー名称９１、インストーラーの詳細な説明９２、サンプル画像９３が表示される。ユーザは、表示したインストーラーを確認して実行ボタン９４を選択する。これにより、ＰＣ３６０からＷｅｂサーバ３７０に画像補正データ転送の要求がなされ、インストーラー選択部３７７が前記選択したインストーラーの画像補正データを読み出し、インターネット３８０経由でＰＣ３６０に転送する。この画像補正データは、ＰＣ３６０のハードディスク等の記憶装置に記憶される。
【００６４】
つぎに、ＰＣ３６０から液晶プロジェクタ３５０の補正部３０３に画像補正データが転送され、この画像補正データに基づいてＬＵＴメモリ３０４の内容が書き換えられる。例えば上記ＬＵＴメモリ３０４に記憶されているＲ、Ｇ、Ｂの補正データのうち、Ｂの補正データに対し更に画像補正データによる補正を行い、青色を強調した画像にする。また、出力する画像信号の電圧を若干低くして画像全体の輝度を低下させるような補正を行うようにしてもよい。そして、書き換えた補正データに基づいて画像の修正を行い、ユーザ好みの画像を投写する。
【００６５】
また、メーカー側ではインストーラーの種類を随時追加変更する。また、ユーザは、ダウンロードした画像補正データをＰＣ３６０のハードディスク等に蓄積しておき、蓄積した画像補正データに関してはオフラインでインストーラーの変更をすることができる。なお、インストーラーの画像補正データを液晶プロジェクタ３５０の記憶装置に蓄積して、当該液晶プロジェクタ側でインストーラーの選択をできるようにしてもよい。
【００６６】
以上のようにインストーラーをユーザによって選択できるようにすれば、ユーザの好みの画像を投写することができる。なお、上記説明では、インストーラーの画像補正データをインターネット３８０経由でＷｅｂサーバ３７０からダウンロードするようにしたが、画像補正データを記憶したＩＣカードやＣＤ−ＲＯＭ等の可搬記憶媒体を介して画像補正データを取得するようにしてもよい。
【００６７】
さらに、上記実施の形態１〜３では、液晶プロジェクタを例に挙げて説明したが、上記の構成はＤＭＤ等の反射型の光変調素子を用いたプロジェクタにも適用できる。また、背面投写型のプロジェクタに対して上記構成を適用しても、同様の効果を得ることができる。さらに、上記補正部およびＬＵＴメモリを含むコントローラーをＷｅｂサーバ側に設けることもできる。
【００６８】
【発明の効果】
以上説明したように、この発明のプロジェクタでは、基準光源部に基づく投写画像の輝度ムラを補正する基準補正データを書き換え可能な記憶手段に記憶し、この基準補正データに対してプロジェクタに搭載される光源部に基づく補正データを重ね合わせ、記憶手段の内容を当該重ね合わせた重合補正データに書き換え、当該重合補正データによって画像信号を補正し、この補正した画像信号に基づいて光変調手段の制御を行うようにしたので、光源部を交換した場合でも輝度ムラを抑制した良好な画像を得ることができる。
【００６９】
また、この発明のプロジェクタでは、基準光源部に基づく投写画像の輝度ムラを補正する基準補正データを書き換え可能な記憶手段に記憶し、その一方で、プロジェクタに搭載される光源部と基準光源部との比較において取得された補正データを前記光源部に関係付けた可搬記憶媒体に記憶し、補正手段によって可搬記憶媒体に記憶した補正データを読み込んでこれを基準補正データに重ね合わせ、記憶手段の内容を当該重ね合わせた重合補正データに書き換え、当該補正データによって画像信号を補正し、この補正した画像信号に基づいて光変調手段の制御を行うようにしたので、光源部を交換した場合でも輝度ムラを抑制した良好な画像を得ることができる。また、補正データを簡単にユーザに提供できる。
【００７０】
また、この発明のプロジェクタでは、基準光源部に基づく投写画像の輝度ムラを補正する基準補正データを書き換え可能な記憶手段に記憶し、プロジェクタに搭載される光源部と基準光源部との比較において取得された補正データを記憶した外部記憶手段から、通信回線を介して当該補正データを取得し、この補正データを読み込んでこれを基準補正データに重ね合わせ、この補正データによって画像信号を補正し、この補正した画像信号に基づいて光変調手段の制御を行う。このようにすれば、光源部を交換した場合でもこの光源部に対応した補正データを容易に取得し、輝度ムラを抑制した良好な画像を得ることができる。
【００７１】
また、この発明のプロジェクタでは、基準光源部に基づく投写画像の輝度ムラを補正する基準補正データを書き換え可能な記憶手段に記憶し、自己診断手段によって、輝度計測手段から光源部の輝度を取得すると共に所定条件のもとその輝度情報を通信回線を介してＷｅｂサーバに転送する。そして、補正手段により、Ｗｅｂサーバにて輝度情報に基づいて生成または選択した、輝度を補正する輝度補正データを通信回線を介して当該Ｗｅｂサーバから受け取り、この輝度補正データを前記記憶手段に記憶した基準補正データに対して重ね合わせ、記憶手段の内容を当該重ね合わせた重合補正データに書き換える。制御手段は、記憶手段に記憶した前記重合補正データによって画像信号を補正し、この補正した画像信号に基づいて光変調手段の制御を行う。これによって、光源部の輝度が使用中に低下しても、これを補正して良好な投写画像を得ることができる。
【００７２】
また、この発明のプロジェクタでは、輝度計測手段は、光源部と光変調手段と間の光路上に設けられ、光源部から光束を分岐させる分岐手段と、分岐手段による分岐した光束の光路上に設置した輝度計とを含んで構成したので、光変調手段の影響を受けずに、光源部の輝度を計測できる。このため、光源部の輝度を正確に計測できる。
【００７３】
また、この発明のプロジェクタでは、基準スクリーンに基づく投写画像の輝度ムラを補正する基準補正データを書き換え可能な記憶手段に記憶し、使用するスクリーンと基準スクリーンとの比較において取得され、基準補正データに対してスクリーンに基づく投写画像の輝度ムラを補正するスクリーン補正データを重ね合わせ、当該スクリーン補正データによって画像信号を補正し、この補正した画像信号に基づいて光変調手段の制御を行うようにしたので、どのスクリーンを用いた場合でも、当該スクリーンに起因した輝度ムラを抑制して良好な画像を得ることができる。
【００７４】
また、この発明のプロジェクタでは、基準スクリーンに基づく投写画像の輝度ムラを補正する基準補正データを書き換え可能な記憶手段に記憶しておき、使用するスクリーンと基準スクリーンとの比較において取得されたスクリーン毎のスクリーン補正データからスクリーン識別手段により識別したスクリーン補正データを読み込んでこれを基準補正データに重ね合わせる。そして、この重ね合わせた重合補正データによって画像信号を補正し、この補正した画像信号に基づいて光変調手段の制御を行う。これにより、どのスクリーンを用いた場合でも、当該スクリーンに起因した輝度ムラを抑制して良好な画像を得ることができる。
【００７５】
また、この発明のプロジェクタの光源部用可搬記憶媒体では、光変調手段に対して光束を照射すると共にプロジェクタに搭載されるプロジェクタの光源部に関連付けられた補正データを、光源部と基準光源部との比較において取得してこれを記憶し、プロジェクタに光源部を搭載する際、記憶した補正データを、基準光源部に基づく投写画像の輝度ムラを補正する基準補正データに対して重ね合わせるようにした。このため、重ね合わせた補正データを用いて画像信号を補正することで、光源部を交換した場合でも輝度ムラを抑制した良好な画像を得ることができる。
【００７６】
また、この発明のプロジェクタの光源部用可搬記憶媒体（請求項９）では、光変調手段に対して光束を照射すると共にプロジェクタに搭載されるプロジェクタの光源部に関連付けられた補正データを、使用するスクリーンと基準スクリーンとの比較において取得してこれを記憶し、プロジェクタに光源部を搭載する際、記憶した補正データを、基準スクリーンに基づく投写画像の輝度ムラを補正する基準補正データに対して重ね合わせるようにした。このため、重ね合わせた補正データを用いて画像信号を補正することで、光源部を交換した場合でも輝度ムラを抑制した良好な画像を得ることができる。
【００７７】
また、この発明のプロジェクタでは、基準光源部に基づく投写画像の輝度ムラを補正する基準補正データを書き換え可能な記憶手段に記憶し、任意の特性を持つ画像が得られるような複数種類の画像補正データを記憶した外部記憶手段から、通信回線を介して前記画像補正データを選択的に取得し、この画像補正データを読み込んでこれを少なくとも前記基準補正データに重ね合わせ、この重合補正データによって画像信号を補正し、この補正した画像信号に基づいて光変調手段の制御を行う。このようにすれば、ユーザ等の選択により好みの特性を持つ投写画像を得ることができる。
【図面の簡単な説明】
【図１】この発明の実施の形態１にかかる液晶プロジェクタを示す概略構成図である。
【図２】工場における光源部の補正データ取得方法を示す説明図である。
【図３】この発明の実施の形態２にかかる液晶プロジェクタを示す構成図である。
【図４】この発明の実施の形態３に係る液晶プロジェクタ・システムを示す構成図である。
【図５】補正データ生成までの手順を示すフローチャートである。
【図６】補正データダウンロードのＷｅｂページの例を示す説明図である。
【図７】自己診断部による輝度自動調整の手順を示すフローチャートである。
【図８】インストーラー選択画面の内容を表示する説明図である。
【図９】インストーラー画面の例を示す説明図である。
【図１０】従来の画像補正方法の一例を示す概念図である。
【符号の説明】
１００    液晶プロジェクタ
１ｓ      オリジナル光源部
１        光源部
１ｒ      基準光源部
１ｋ      交換用光源部
２        ライトバルブ
３        ドライバ回路
４        コントローラー
５        電源装置
６        ＩＣカード
８        補正部
９        ＬＵＴメモリ
２００    液晶プロジェクタ
２０１    コントローラー
２０２    補正部
２０３    ＬＵＴメモリ
２０４    スクリーン補正部
２０５    画像処理部
２０６    スクリーンデータ用メモリ
２０７    データ読取部
２０８    バーコード
２０９    カメラ
２１０    可搬記憶媒体
３００    液晶プロジェクタ・システム
３０１    コントローラー
３０３    補正部
３０４    メモリ
３０５    ライトバルブデータ用メモリ
３０６    自己診断部
３０７    反射手段
３０８    輝度計
３０９    識別番号
３１０    カード
３５０    液晶プロジェクタ
３７０    Ｗｅｂサーバ
３７１    光源部データベース
３７２    光源部検索部
３７３    ライトバルブデータベース
３７４    ライトバルブ検索部
３７５    補正データ生成部
３７６    インストーラーデータベース
３７７    インストーラー選択部
３８０    インターネット
【図１】
0004016676.tif 000002
【図２】
0004016676.tif 000003
【図３】
0004016676.tif 000004
【図４】
0004016676.tif 000005
【図５】
0004016676.tif 000006
【図６】
0004016676.tif 000007
【図７】
0004016676.tif 000008
【図８】
0004016676.tif 000009
【図９】
0004016676.tif 000010
【図１０】
0004016676.tif 000011